【手続補正書】
【提出日】平成18年6月26日(2006.6.26)
【手続補正１】
【補正対象書類名】特許請求の範囲
【補正対象項目名】全文
【補正方法】変更
【補正の内容】
【特許請求の範囲】
【請求項１】
表示部と電圧源とを含む画像表示装置であって、
前記表示部が表示素子と画素回路とを有し、
前記画素回路が、
前記表示素子の一方の端子に接続される第１主電極と、電源に接続される第２主電極と制御電極と、を有し、該表示素子に駆動電流を供給するための駆動トランジスタと、
前記駆動トランジスタの前記制御電極と前記第１の主電極との間に設けられ、前記駆動トランジスタの前記制御電極の電位を設定するための制御トランジスタと、を備え、
前記電圧源は、前記第２主電極と前記表示素子の他方の端子との間に印加される印加電圧を調整する可変電圧源であることを特徴とする画像表示装置。
【請求項２】
カラー表示部と電圧源とを含む画像表示装置であって、
前記カラー表示部が、第１の色を呈する第１の表示素子と、第２の色を呈する第２の表示素子と、第１の画素回路と、第２の画素回路とを有し、
前記第1の画素回路が、
前記第１の表示素子の一方の端子に接続される第１主電極と、第１の共通電極に接続される第２主電極と制御電極と、を有し、該第１の表示素子に駆動電流を供給するための第１の駆動トランジスタと、
前記駆動トランジスタの前記制御電極と前記第１の主電極との間に設けられ、前記第１の駆動トランジスタの前記制御電極の電位を設定するための第１の制御トランジスタと、を備え、
前記第２の画素回路が、
前記第２の表示素子の一方の端子に接続される第１主電極と、第２の共通電極に接続される第２主電極と制御電極と、を有し、該第２の表示素子に駆動電流を供給するための第２の駆動トランジスタと、
前記第２の駆動トランジスタの前記制御電極と前記第１の主電極との間に設けられ、前記駆動トランジスタの前記制御電極の電位を設定するための第２の制御トランジスタと、を備え、
前記電圧源は、前記第１又は第２の画素回路のうち少なくとも一方における、前記第２主電極と前記表示素子の他方の端子との間に印加される印加電圧を調整する可変電圧源を含むことを特徴とする画像表示装置。
【請求項３】
表示部が表示素子と画素回路とを有し、
前記画素回路が、
前記表示素子の一方の端子に接続される第１主電極と、電源に接続される第２主電極と制御電極と、を有し、該表示素子に駆動電流を供給するための駆動トランジスタと、
前記駆動トランジスタの前記制御電極と前記第１の主電極との間に設けられ、前記駆動トランジスタの前記制御電極の電位を設定するための制御トランジスタと、を備えた画像表示装置の製造方法であって、
（ｉ）表示部を用意するステップと、
（ｉｉ）前記第２主電極と前記表示素子の他方の端子との間に印加される印加電圧を調整するステップと、
を含むことを特徴とする画像表示装置の製造方法。
【請求項４】
前記印加電圧を調整するステップは、前記主電極に接続される可変電圧電源の供給電圧を、前記印加電圧が小さくなるように変更する請求項３に記載の画像表示装置の製造方法。
【請求項５】
前記印加電圧を調整するステップは、前記表示素子に接続される可変電圧電源の供給電圧を、前記印加電圧が小さくなるように変更する請求項３に記載の画像表示装置の製造方法。
【請求項６】
カラー表示部が、第１の色を呈する第１の表示素子と、第２の色を呈する第２の表示素子と、第１の画素回路と、第２の画素回路とを有し、
前記第1の画素回路が、
前記第１の表示素子の一方の端子に接続される第１主電極と、第１の共通電極に接続される第２主電極と制御電極と、を有し、該第１の表示素子に駆動電流を供給するための第１の駆動トランジスタと、
前記駆動トランジスタの前記制御電極と前記第１の主電極との間に設けられ、前記第１の駆動トランジスタの前記制御電極の電位を設定するための第１の制御トランジスタと、を備え、
前記第２の画素回路が、
前記第２の表示素子の一方の端子に接続される第１主電極と、第２の共通電極に接続される第２主電極と制御電極と、を有し、該第２の表示素子に駆動電流を供給するための第２の駆動トランジスタと、
前記第２の駆動トランジスタの前記制御電極と前記第１の主電極との間に設けられ、前記駆動トランジスタの前記制御電極の電位を設定するための第２の制御トランジスタと、を備えた画像表示装置の製造方法であって、
（ｉ）カラー表示部を用意するステップと、
（ｉｉ）前記第１又は第２の画素回路のうち少なくとも一方における、前記第２主電極と前記表示素子の他方の端子との間に印加される印加電圧を調整するステップと、
を含むことを特徴とする画像表示装置の製造方法。
【請求項７】
前記印加電圧を調整するステップは、前記第１又は第２の主電極に接続される可変電圧電源の供給電圧を、対応する画素回路の前記印加電圧が小さくなるように変更する請求項６に記載の画像表示装置の製造方法。
【請求項８】
前記印加電圧を調整するステップは、前記第１又は第２の表示素子の他方の端子に接続される可変電圧電源の供給電圧を、対応する画素回路の前記印加電圧が小さくなるように変更する請求項６に記載の画像表示装置の製造方法。
【手続補正２】
【補正対象書類名】明細書
【補正対象項目名】００１１
【補正方法】変更
【補正の内容】
【００１１】
本願に係わる第１の発明は、
表示部と電圧源とを含む画像表示装置であって、
前記表示部が表示素子と画素回路とを有し、
前記画素回路が、
前記表示素子の一方の端子に接続される第１主電極と、電源に接続される第２主電極と制御電極と、を有し、該表示素子に駆動電流を供給するための駆動トランジスタと、
前記駆動トランジスタの前記制御電極と前記第１の主電極との間に設けられ、前記駆動トランジスタの前記制御電極の電位を設定するための制御トランジスタと、を備え、
前記電圧源は、前記第２主電極と前記表示素子の他方の端子との間に印加される印加電圧を調整する可変電圧源であることを特徴とする画像表示装置である。
【手続補正３】
【補正対象書類名】明細書
【補正対象項目名】００１２
【補正方法】変更
【補正の内容】
【００１２】
本願に係わる第２の発明は、
カラー表示部と電圧源とを含む画像表示装置であって、
前記カラー表示部が、第１の色を呈する第１の表示素子と、第２の色を呈する第２の表示素子と、第１の画素回路と、第２の画素回路とを有し、
前記第1の画素回路が、
前記第１の表示素子の一方の端子に接続される第１主電極と、第１の共通電極に接続される第２主電極と制御電極と、を有し、該第１の表示素子に駆動電流を供給するための第１の駆動トランジスタと、
前記駆動トランジスタの前記制御電極と前記第１の主電極との間に設けられ、前記第１の駆動トランジスタの前記制御電極の電位を設定するための第１の制御トランジスタと、を備え、
前記第２の画素回路が、
前記第２の表示素子の一方の端子に接続される第１主電極と、第２の共通電極に接続される第２主電極と制御電極と、を有し、該第２の表示素子に駆動電流を供給するための第２の駆動トランジスタと、
前記第２の駆動トランジスタの前記制御電極と前記第１の主電極との間に設けられ、前記駆動トランジスタの前記制御電極の電位を設定するための第２の制御トランジスタと、を備え、
前記電圧源は、前記第１又は第２の画素回路のうち少なくとも一方における、前記第２主電極と前記表示素子の他方の端子との間に印加される印加電圧を調整する可変電圧源を含むことを特徴とする画像表示装置である。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
また本願に係わる第３の発明は、
表示部が表示素子と画素回路とを有し、
前記画素回路が、
前記表示素子の一方の端子に接続される第１主電極と、電源に接続される第２主電極と制御電極と、を有し、該表示素子に駆動電流を供給するための駆動トランジスタと、
前記駆動トランジスタの前記制御電極と前記第１の主電極との間に設けられ、前記駆動トランジスタの前記制御電極の電位を設定するための制御トランジスタと、を備えた画像表示装置の製造方法であって、
（ｉ）表示部を用意するステップと、
（ｉｉ）前記第２主電極と前記表示素子の他方の端子との間に印加される印加電圧を調整するステップと、
を含むことを特徴とする画像表示装置の製造方法である。
【手続補正９】
【補正対象書類名】明細書
【補正対象項目名】００１８
【補正方法】変更
【補正の内容】
【００１８】
また本願に係わる第４の発明は、
カラー表示部が、第１の色を呈する第１の表示素子と、第２の色を呈する第２の表示素子と、第１の画素回路と、第２の画素回路とを有し、
前記第1の画素回路が、
前記第１の表示素子の一方の端子に接続される第１主電極と、第１の共通電極に接続される第２主電極と制御電極と、を有し、該第１の表示素子に駆動電流を供給するための第１の駆動トランジスタと、
前記駆動トランジスタの前記制御電極と前記第１の主電極との間に設けられ、前記第１の駆動トランジスタの前記制御電極の電位を設定するための第１の制御トランジスタと、を備え、
前記第２の画素回路が、
前記第２の表示素子の一方の端子に接続される第１主電極と、第２の共通電極に接続される第２主電極と制御電極と、を有し、該第２の表示素子に駆動電流を供給するための第２の駆動トランジスタと、
前記第２の駆動トランジスタの前記制御電極と前記第１の主電極との間に設けられ、前記駆動トランジスタの前記制御電極の電位を設定するための第２の制御トランジスタと、を備えた画像表示装置の製造方法であって、
（ｉ）カラー表示部を用意するステップと、
（ｉｉ）前記第１又は第２の画素回路のうち少なくとも一方における、前記第２主電極と前記表示素子の他方の端子との間に印加される印加電圧を調整するステップと、
を含むことを特徴とする画像表示装置の製造方法である。
【手続補正１０】
【補正対象書類名】明細書
【補正対象項目名】００１９
【補正方法】削除
【補正の内容】